(57)【特許請求の範囲】
【請求項１】
画像形成部と、
前記画像形成部を収容するケーシングであって、排紙口を有する壁と、前記排紙口を通過した用紙を積載するための排紙トレイとを有するケーシングと、
前記排紙トレイの上方に間隔を空けて配置され、原稿を読み取るための読取装置と、を備え、
前記ケーシングは、前記画像形成部から搬送された用紙を前記排紙口へ向けて案内するための第１搬送ガイドと、を備え、
前記第１搬送ガイドは、下壁を構成する第１ガイドと、上壁を構成するガイドであって前記読取装置を支持する第２ガイドとを備え、
前記第２ガイドは、第１位置と、前記第１位置から上方に移動した位置であって、前記第１位置にあるときよりも前記第１ガイドとの間隔が広がる第２位置との間を、回動軸について回動可能であり、
前記第１ガイドには、対向ローラが取り付けられており、
前記第２ガイドには、排紙ローラが取り付けられており、
前記第２ガイドが前記第１位置に位置する状態で、前記排紙ローラは、前記対向ローラと接触し、
前記第２ガイドが前記第２位置に位置する状態で、前記排紙ローラは、前記対向ローラから離れることを特徴とする画像形成装置。
【請求項２】
前記画像形成部は、感光ドラムを備えるドラムカートリッジと、現像ローラを備える現像カートリッジとを備え、
前記ケーシングは、開口を有し、
前記排紙トレイは、前記第２ガイドが前記第１位置にあるときに、前記読取装置と前記開口との間において、前記開口を開放する第１開位置と、前記開口を閉鎖する閉位置との間を回動可能であり、
前記現像カートリッジは、前記排紙トレイが前記第１開位置にあるときに、前記開口を介して前記ケーシングに対して着脱可能であることを特徴とする、請求項１に記載の画像形成装置。
【請求項３】
前記排紙トレイは、前記第２ガイドが前記第２位置にあるときに、前記第１開位置よりも上方へ回動して前記開口を開放する第２開位置と、前記閉位置とを移動可能であり、
前記ドラムカートリッジは、前記排紙トレイが前記第１開位置にあるときに、前記ケーシングに対して着脱が不能であり、前記排紙トレイが前記第２開位置にあるときに、前記開口を介して前記ケーシングに対して着脱可能であることを特徴とする、請求項２に記載の画像形成装置。
【請求項４】
前記読取装置よりも上方に配置され、前記画像形成部から搬送された用紙が排紙される複数のトレイを有する排紙ラックを備え、
前記トレイは、回動可能であることを特徴とする、請求項３に記載の画像形成装置。
【請求項５】
前記トレイは、前記第２ガイドの回動方向と同じ方向に回動可能であることを特徴とする、請求項４に記載の画像形成装置。
【請求項６】
前記読取装置よりも上方に配置され、前記画像形成部から搬送された用紙が排紙される複数のトレイを有する排紙ラックを備え、
前記排紙ラックは、用紙を搬送するための第１経路と、前記第１経路と連通して前記トレイへ用紙を搬送するための第２経路を複数有し、
前記ケーシングは、
用紙を給紙する給紙トレイと、
前記給紙トレイから前記画像形成部に用紙を給紙するための給紙経路と、
前記画像形成部から前記排紙ラックの前記第１経路へと用紙を搬送する第１搬送経路と、
前記第１搬送経路から延び、かつ、前記給紙経路に連通し、用紙を再度前記画像形成部へ搬送するための第２搬送経路と、
前記第２搬送経路の一部を構成する閉位置と、前記第２搬送経路を開放する開位置との間を回動可能であるカバーと、を備えることを特徴とする、請求項１〜５のいずれか一項に記載の画像形成装置。
【請求項７】
前記画像形成部は、プロセスカートリッジを備え、
前記プロセスカートリッジは、少なくとも、感光ドラムおよび前記感光ドラムにトナーを搬送するための現像ローラを備えることを特徴とする、請求項３〜６のいずれか一項に記載の画像形成装置。
【請求項８】
前記第２ガイドは、用紙をガイドするガイド面を有し、
前記回動軸は、前記ガイド面に対して前記排紙口の反対側に配置されることを特徴とする、請求項１〜７のいずれか一項に記載の画像形成装置。
【請求項９】
前記排紙口から排紙された用紙と接触可能な突出部材であって、前記排紙口よりも下方、かつ、前記排紙トレイよりも上方に配置される突出部材を備えることを特徴とする、請求項１〜８のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、画像形成部の上方に原稿読取り部が配置された画像形成装置が知られている（例えば、特許文献１参照。）。
【０００３】
このような画像形成装置は、原稿読取り部の下方において、定着部を通過した記録用紙を排紙トレイへ向かって搬送する。
【先行技術文献】
【特許文献】
【０００４】
【特許文献１】特開２００５−３７８１０号公報
【発明の概要】
【発明が解決しようとする課題】
【０００５】
しかしながら、原稿読み取り部の下方に排紙ガイドがあるので、定着部を通過し排紙トレイに向かって搬送される記録用紙が定着部と排紙トレイとの間にある排紙ガイドで詰まった場合に、ユーザは、排紙ガイドを視認しにくい状況にある。また、ユーザは、記録用紙を取り除くため、腕を原稿読み取り部の下方を通らせて排紙ガイドに手を伸ばさなければならず、さらに排紙ガイドを視認しにくくなる。ユーザは、このような状況下、詰まった記録用紙を排紙ガイドから取り除かなければならないとの問題があった。
本発明の目的は、特許文献１に記載される画像形成装置に対して、定着部を通過し排紙トレイに向かって搬送される記録用紙が、定着部と排紙トレイとの間にある排紙ガイドで詰まった場合でも、詰まった記録用紙を排紙ガイドから取り除くことのできる画像形成装置を提供することにある。
【課題を解決するための手段】
【０００６】
上記した目的を達成するため、本発明の画像形成装置は、画像形成部と、画像形成部を収容するケーシングであって、排紙口を有する壁と、排紙口を通過した用紙を積載するための排紙トレイとを有するケーシングと、排紙トレイの上方に間隔を空けて配置され、原稿を読み取るための読取装置と、を備え、ケーシングは、画像形成部から搬送された用紙を排紙口へ向けて案内するための第１搬送ガイドとを備える。
【０００７】
第１搬送ガイドは、下壁を構成する第１ガイドと、上壁を構成するガイドであって読取装置を支持する第２ガイドとを備える。第２ガイドは、第１位置と、前記第１位置から上方に移動した位置であって、第１位置にあるときよりも第１ガイドとの間隔が広がる第２位置との間を、回動軸について回動可能である。
【発明の効果】
【０００８】
本発明の画像形成装置は、新規な画像形成装置であり、読取装置を有する構成において、定着部を通過し排紙トレイに向かって搬送される記録用紙が、定着部と排紙トレイとの間にある排紙ガイドで詰まった場合でも、詰まった記録用紙を排紙ガイドから取り除くことができる。
【図面の簡単な説明】
【０００９】
【図１】図１は、第１実施形態の画像形成装置を示す斜視図である。
【図２】図２は、図１に示す画像形成装置の中央断面図である。
【図３】図３は、図１に示す画像形成装置の正面図である。
【図４】図４は、図１に示す画像形成装置の平面図である。
【図５】図５は、図２に示す画像形成装置において、読取装置のカバーを露出位置に位置させた状態を示す。
【図６】図６は、図２に示す画像形成装置において、読取装置を第２位置に位置させ、トップカバーを第２開位置に位置させた状態を示す。
【図７】図７は、第２実施形態の画像形成装置の中央断面図である。
【図８】図８は、図７に示す画像形成装置において、読取装置を第２位置に位置させ、トップカバーを第２開位置に位置させた状態を示す。
【発明を実施するための形態】
【００１０】
＜第１実施形態＞
以下、第１実施形態の画像形成装置１について説明する。以下の説明において、方向に言及するときには、図中に示す方向矢印を基準とする。
１．画像形成装置の概略
図１および図２に示すように、画像形成装置１は、レーザープリンタである。画像形成装置１は、開口７を有するケーシング２と、画像形成部１Ａと、読取装置１Ｂとを備える。
【００１１】
ケーシング２は、ボックス形状を有する。ケーシング２は、画像形成部１Ａを収容する。ケーシング２は、排紙トレイ８、および、給紙トレイ９を備える。
【００１２】
開口７は、左右方向（回動軸線方向）において、ケーシング２の上壁の中央に配置される。開口７は、ケーシング２の上壁を上下方向に貫通する。開口７は、プロセスカートリッジ３の通過を許容する。
【００１３】
排紙トレイ８は、左右方向において、ケーシング２の上端部の中央に配置される。排紙トレイ８は、前後方向（水平方向）に延びる板形状を有する。排紙トレイ８は、後述する排紙口４１から排紙された用紙Ｐを積載する。排紙トレイ８の後端部は、後述する排紙部２２の壁５０の下端部に回転可能に支持される。これにより、排紙トレイ８は、後端部を回動中心として回動可能である。排紙トレイ８は、図２に示すように、読取装置１Ｂが読取位置（後述）に配置されるときには、読取位置における読取装置１Ｂと開口７との間において、開口７を開放する第１開位置（図２仮想線参照）と、開口７を閉鎖する閉位置（図２実線参照）との間を回動可能である。また、排紙トレイ８は、図６に示すように、読取装置１Ｂが退避位置（後述）に配置されるときには、第１開位置よりも上方へ回動して開口７を開放する第２開位置（図６参照）と、開口７を閉鎖する閉位置（図２実線参照）との間を回動可能である。
【００１４】
給紙トレイ９は、ケーシング２の下端部に配置される。給紙トレイ９は、用紙Ｐを収容可能なトレイである。
【００１５】
画像形成部１Ａは、カートリッジの一例としてのプロセスカートリッジ３、スキャナ４、および、定着器５を備える。
【００１６】
プロセスカートリッジ３は、ケーシング２の中央に装着される。プロセスカートリッジ３は、図６に示すように、開口７を介して、ケーシング２に対して着脱可能である。プロセスカートリッジ３は、図２に示すように、ドラムカートリッジ１１、および、現像カートリッジ１２を備える。
【００１７】
ドラムカートリッジ１１は、感光ドラム１３、帯電器１４、および、転写ローラ１５を備える。
【００１８】
感光ドラム１３は、ドラムカートリッジ１１の後端部に配置される。感光ドラム１３は、左右方向に延びる円筒形状を有する。
【００１９】
帯電器１４は、感光ドラム１３の前上方に間隔を空けて配置される。帯電器１４は、スコロトロン型の帯電器である。帯電器１４は、感光ドラム１３の表面を帯電させる。
【００２０】
転写ローラ１５は、感光ドラム１３の後下方に配置される。転写ローラ１５は、感光ドラム１３と接触する。
【００２１】
現像カートリッジ１２は、感光ドラム１３の前方に配置される。現像カートリッジ１２は、ドラムカートリッジ１１に装着される。現像カートリッジ１２は、図２に仮想線で示すように、ドラムカートリッジ１１がケーシング２内に装着された状態で、ドラムカートリッジ１１とは別に、開口７を介してケーシング２の外方へ離脱可能である。現像カートリッジ１２は、現像ローラ１６、供給ローラ１７、ブレード１８、および、トナー収容部１９を備える。
【００２２】
現像ローラ１６は、現像カートリッジ１２の後端部に配置される。現像ローラ１６は、感光ドラム１３の軸線Ａ１よりも下方に位置する軸線Ａ２について回転可能である。現像ローラ１６は、感光ドラム１３と接触する。現像ローラ１６は、感光ドラム１３にトナーを搬送するように構成される。
【００２３】
供給ローラ１７は、現像ローラ１６の前下方に配置される。供給ローラ１７は、現像ローラ１６と接触する。供給ローラ１７は、現像ローラ１６にトナーを供給する。
【００２４】
ブレード１８は、現像ローラ１６の前方に配置される。ブレード１８は、現像ローラ１６と接触する。ブレード１８は、現像ローラ１６の表面のトナーの厚みを規制する。
【００２５】
トナー収容部１９は、供給ローラ１７およびブレード１８の前方に配置される。トナー収容部１９は、ボックス形状を有する。トナー収容部１９は、トナーを収容可能である。
【００２６】
スキャナ４は、プロセスカートリッジ３の前方に配置される。スキャナ４は、画像データに基づくレーザービームＬを出射可能である。スキャナ４から出射されたレーザービームＬは、現像カートリッジ１２の上方を通過して、感光ドラム１３の表面に入射する。
【００２７】
定着器５は、プロセスカートリッジ３の後上方に配置される。定着器５は、加熱ローラ５Ａ、および、加熱ローラ５Ａと接触する加圧ローラ５Ｂを備える。
【００２８】
読取装置１Ｂは、排紙トレイ８の上方に間隔を隔てて配置される。読取装置１Ｂは、フラットベッドタイプのイメージスキャナである。すなわち、読取装置１Ｂは、原稿の画像を読み取り可能に構成されている。
【００２９】
画像形成装置１が画像形成動作を開始すると、スキャナ４は、レーザービームＬを出射し、感光ドラム１３の表面を露光する。これにより、画像データに基づく静電潜像が、感光ドラム１３の表面に形成される。
【００３０】
次いで、トナーが、現像ローラ１６によって、感光ドラム１３表面の静電潜像に供給される。これにより、トナー像が、感光ドラム１３の表面に担持される。
【００３１】
次いで、用紙Ｐが、給紙トレイ９から、所定のタイミングで１枚ずつ、感光ドラム１３と転写ローラ１５との間に給紙される。感光ドラム１３の表面のトナー像は、用紙Ｐが感光ドラム１３と転写ローラ１５との間を通過するときに、用紙Ｐに転写される。
【００３２】
次いで、用紙Ｐは、加熱ローラ５Ａと加圧ローラ５Ｂとの間を通過するときに加熱および加圧される。これにより、定着器５は、用紙Ｐ上のトナー像を、用紙Ｐに定着する。
【００３３】
次いで、用紙Ｐは、後述する排紙口４１を通過してケーシング２外に排紙され、排紙トレイ８に積載される。
２．ケーシング
ケーシング２は、図２に示すように、給紙経路２４を有する給紙部２１と、排紙口４１および排紙経路２５を有する排紙部２２と、反転経路２６を有する反転部２３とを備える。
（１）給紙部
給紙部２１は、用紙Ｐを、給紙経路２４を介して感光ドラム１３と転写ローラ１５との間に供給するように構成される。給紙部２１は、給紙トレイ９とプロセスカートリッジ３との間に配置される。給紙部２１は、ピックアップローラ２７、および、第１搬送ローラ３０を備える。
【００３４】
給紙経路２４は、給紙トレイ９の前端部の上方に配置される上流端部２４Ａと、転写ローラ１５の前下方に配置される下流端部２４Ｂとを有する。給紙経路２４は、上流端部２４Ａから上方へ延び、後方へ屈曲して、下流端部２４Ｂまで延びる。
【００３５】
ピックアップローラ２７は、給紙経路２４の上流端部２４Ａの後下方に間隔を隔てて配置される。ピックアップローラ２７は、給紙トレイ９内の用紙Ｐをピックアップする。
【００３６】
第１搬送ローラ３０は、ピックアップローラ２７と、給紙経路２４の上流端部２４Ａとの間に配置される。第１搬送ローラ３０は、ピックアップローラ２７によってピックアップされた用紙Ｐを、給紙経路２４の上流端部２４Ａ内に搬送する。
（２）排紙部
排紙部２２は、加熱ローラ５Ａと加圧ローラ５Ｂとの間を通過した用紙Ｐを、排紙経路２５および排紙口４１を介して排紙トレイ８に排紙するように構成されている。排紙部２２は、排紙トレイ８の後方に配置される。排紙部２２は、第１ガイド４２、第２ガイド４３、第３ガイド４４、壁５０、フラップ４６、排紙ローラ４７、複数の対向ローラ４８、および、複数の突出部材の一例としての排紙ガイド４９を備える。なお、第１ガイド４２、第２ガイド４３おおよび第３ガイド４４は、第１搬送ガイドを構成する。
【００３７】
排紙口４１は、図２および図３に示すように、壁５０の上端部に配置される。排紙口４１は、左右方向に延びる。排紙口４１は、正面視矩形状を有している。
【００３８】
排紙経路２５は、図２に示すように、第１ガイド４２と第３ガイド４４との間、および、第１ガイド４２と第２ガイド４３との間に形成される経路である。排紙経路２５は、定着器５の上方に位置している。排紙経路２５は、定着器５の上方に向かい合って配置される上流端部２５Ａと、排紙口４１に連通する下流端部２５Ｂとを有する。排紙経路２５は、上流端部２５Ａから後上方へ延び、前方へ湾曲した後、前下方へ延び、下流端部２５Ｂに連通する。言い換えると、排紙経路２５は、定着器５から、上方へ向かうにつれて排紙口４１から離れる方向（すなわち、後上方）に延び、排紙口４１に近づく方向（すなわち、前方）に湾曲して、排紙口４１に連通する。
【００３９】
第１ガイド４２は、排紙経路２５の下壁を構成する。第１ガイド４２は、定着器５の上方に配置される。第１ガイド４２は、定着器５から後上方へ延び、前方へ湾曲した後、前下方へ延びる湾曲板である。言い換えると、第１ガイド４２は、定着器５から、上方へ向かうにつれて排紙口４１から離れる方向（すなわち、後上方）に延び、排紙口４１に近づく方向（すなわち、前方）に湾曲して、排紙口４１に向かって前下方に延びる。
【００４０】
第２ガイド４３は、排紙経路２５の上壁を構成する。第２ガイド４３は、第１ガイド４２の上方に間隔を隔てて配置される。この位置（図２に示す位置）が、第２ガイド４３の第１位置である。第２ガイド４３は、前端部において、読取装置１Ｂを支持する。また、第２ガイド４３は、図４に示すように、後述する排紙ラック７０の第１支柱７２Ｌと第２支柱７２Ｒとの間に位置している。第２ガイド４３は、左右方向に延びる。第２ガイド４３は、平面視矩形の板形状を有する。第２ガイド４３は、図２に示すように、後端部において、第３ガイド４４の上端部に、第１支持部の一例としての回動軸４５を介して支持される。第２ガイド４３は、第１位置と、第１位置から上方に移動した第２位置（図６参照）との間を、回動軸４５について回動可能である。第２ガイド４３は、ガイド面４３Ａを有する。
【００４１】
回動軸４５は、第２ガイド４３のガイド面４３Ａの最上部よりも後方に配置される。すなわち、回動軸４５は、前後方向において、第２ガイド４３のガイド面４３Ａの最上部を挟んで排紙口４１の反対側に配置される。
【００４２】
ガイド面４３Ａは、第２ガイド４３の下面である。ガイド面４３Ａは、第１ガイド４２に沿うように、後端部から前上方に延び、前後方向中央において前下方へ湾曲して、排紙口４１に向かって前下方に延びる。ガイド面４３Ａの最上部は、読取装置１Ｂの最下部よりも上方に配置されている。ガイド面４３Ａの最上部は、排紙口４１よりも上方に配置されている。ガイド面４３Ａと第２ガイド４３との間隔は、後方から前方へ向かうにつれて、徐々に狭くなる。
【００４３】
第３ガイド４４は、排紙経路２５の後壁を構成する。第３ガイド４４は、第１ガイド４２の後方に間隔を隔てて配置される。すなわち、第３ガイド４４は、前後方向において、第１ガイド４２を挟んで排紙口４１と反対側に配置される。第３ガイド４４は、ガイド面４４Ａを有する。
【００４４】
ガイド面４４Ａは、第３ガイド４４の前面である。ガイド面４４Ａは、第１ガイド４２に沿うように、後上方へ向かって延び、前下方へ湾曲する。言い換えると、ガイド面４４Ａは、定着器５から、上方へ向かうにつれて排紙口４１から離れる方向、すなわち、後上方に延び、排紙口４１に近づく方向、すなわち、前上方に湾曲する。
【００４５】
フラップ４６は、第３ガイド４４の下端部に取り付けられる。フラップ４６は、上下方向に延びる板形状を有する。フラップ４６は、上端部を回動中心として、後述する第１搬送経路２６Ａを閉鎖して排紙経路２５を開放する排紙位置と、後述する第１搬送経路２６Ａを開放して排紙経路２５を閉鎖する搬送位置との間を回動可能である。
【００４６】
壁５０は、排紙部２２の前壁である。壁５０は、第１ガイド４２の前端部に下方に配置される。壁５０は、第１ガイド４２の前端部とともに排紙口４１を構成する。壁５０は、上下方向に延びる板形状を有する。壁５０は、排紙トレイ８の後壁を構成する。
【００４７】
排紙ローラ４７は、第２ガイド４３の前端部の下端部に取り付けられる。排紙ローラ４７は、排紙経路２５の下流端部２５Ｂと排紙口４１との間に配置される。排紙ローラ４７は、図示しない駆動源から入力される駆動力により回転可能である。
【００４８】
対向ローラ４８は、壁５０の上端部に取り付けられる。対向ローラ４８は、排紙ローラ４７の下方に配置される。対向ローラ４８は、排紙ローラ４７に接触する。対向ローラ４８は、排紙ローラ４７に従動して回転可能である。
【００４９】
排紙ガイド４９は、壁５０の前面に取り付けられる。排紙ガイド４９は、排紙口４１の下方、かつ、排紙トレイ８よりも上方に配置される。排紙ガイド４９は、前後方向に延びる板形状を有する。複数の排紙ガイド４９は、互いに左右方向に間隔を隔てて配置される。排紙ガイド４９は、後端部を中心として回動可能である。排紙ガイド４９は、コイルばねにより、前後方向に延びた状態で静止するように付勢される。
（３）反転部
反転部２３は、加熱ローラ５Ａと加圧ローラ５Ｂとの間を通過した用紙Ｐを、反転経路２６を介して、再度、感光ドラム１３と転写ローラ１５との間に供給するための反転部である。反転部２３は、排紙部２２および定着器５の後方に配置される。反転部２３は、リアフレーム５１、リアカバー５２、反転ローラ５４および対向ローラ５５を備える。
【００５０】
反転経路２６は、第３ガイド４４の後方に配置される第１搬送経路２６Ａと、定着器５およびプロセスカートリッジ３の後方に配置される第２搬送経路２６Ｂとを有する。
【００５１】
第１搬送経路２６Ａは、定着器５から後上方へ延び、上方へ湾曲した後、上方へ延びる。第１搬送経路２６Ａの上端部は、ケーシング２の外方へ開放される。第１搬送経路２６Ａの下端部は、排紙経路２５の上流端部２５Ａに連通する。
【００５２】
第２搬送経路２６Ｂは、第１搬送経路２６Ａの途中から下方へ延び、転写ローラ１５の下方を回り込むように前方へ屈曲して、給紙経路２４の下流端部２４Ｂに連通する。
【００５３】
リアフレーム５１は、ケーシング２の後壁の上端部に配置される。リアフレーム５１は、第１搬送経路２６Ａの後方に間隔を隔てて配置される。リアフレーム５１は、第１搬送経路２６Ａの後壁を構成する。リアフレーム５１は、図４に示すように、左右方向に延びる板形状を有する。
【００５４】
リアカバー５２は、リアフレーム５１の下方に配置される。リアカバー５２は、上下方向に延びる板形状を有する。リアカバー５２は、第２搬送経路２６Ｂの後壁を構成する閉位置と、第２搬送経路２６Ｂを開放する開位置（図２仮想線参照）との間を、下端部を支点として回動可能である。
【００５５】
反転ローラ５４は、第３ガイド４４の後面に取り付けられる。反転ローラ５４は、図示しない駆動源から入力される駆動力により回転可能である。反転ローラ５４は、用紙Ｐを上方へ搬送する第１回転方向と、第１回転方向とは逆の回転方向であって、用紙Ｐを下方へ搬送する第２回転方向とに、切り替え可能である。
【００５６】
対向ローラ５５は、リアカバー５２の上端部に取り付けられる。対向ローラ５５は、反転ローラ５４の後方に配置される。対向ローラ５５は、反転ローラ５４に接触する。対向ローラ５５は、反転ローラ５４に従動して回転可能である。
（４）側壁
ケーシング２は、図１および図３に示すように、第１側壁５３Ｌと、第２側壁５３Ｒとを備えている。
【００５７】
第１側壁５３Ｌは、ケーシング２の左壁である。第１側壁５３Ｌは、前後方向および上下方向に延びる。第１側壁５３Ｌは、扁平なボックス形状を有する。第１側壁５３Ｌの上端部は、排紙トレイ８の左壁を構成する。
【００５８】
第２側壁５３Ｒは、ケーシング２の右壁である。すなわち、第２側壁５３Ｒは、第１側壁５３Ｌの右方に間隔を隔てて配置される。第２側壁５３Ｒは、前後方向および上下方向に延びる。第２側壁５３Ｒは、扁平なボックス形状を有する。第２側壁５３Ｒの上端部は、排紙トレイ８の右壁を構成する。
【００５９】
第１側壁５３Ｌおよび第２側壁５３Ｒの内部には、図示しないが、各種の制御基板、電源基板および駆動系が収容される。
３．読取装置
読取装置１Ｂは、原稿の画像を読み取るときの読取位置（図２参照）と、読取位置から上方へ退避した退避位置（図６参照）との間を移動可能である。読取装置１Ｂが読取位置に配置される状態で、排紙部２２の第２ガイドは、第１位置に配置される。また、読取装置１Ｂが退避位置に配置される状態で、排紙部２２の第２ガイドは、第２位置に配置される。読取装置１Ｂは、図１および図３に示すように、開口６６Ａを有するフレーム６６、アーム６４、光学系６１、透明板６２、カバー６３およびケーブル６５を備える。
【００６０】
フレーム６６は、前後方向および上下方向に延びる。フレーム６６は、扁平なボックス形状を有する。フレーム６６の左端部は、第１側壁５３Ｌの上方に配置される。フレーム６６の右端部は、第２側壁５３Ｒの上方に配置される。フレーム６６の後壁は、第２ガイド４３の前端部に接続される。
【００６１】
開口６６Ａは、フレーム６６の上壁の中央に配置される。開口６６Ａは、フレーム６６の上壁を上下方向に貫通する。
【００６２】
アーム６４は、フレーム６６の左端部の後方に配置される。アーム６４は、前後方向に延びる角筒形状を有する。アーム６４の前端部は、フレーム６６の左端部に接続される。アーム６４の後端部は、排紙ラック７０の後述する第１支柱７２Ｌの左方に配置される。アーム６４は、後端部において、第１側壁５３Ｌの後端部に回動可能に支持される。アーム６４は、第２ガイド４３と共通の回動軸線について回動可能である。
【００６３】
光学系６１は、フレーム６６の内部に配置される。光学系６１は、光源や撮像素子を備える。
【００６４】
透明板６２は、フレーム６６の光学系６１の上方に配置される。透明板６２は、フレーム６６の上壁に支持される。透明板６２は、透明なガラス板などからなる。透明板６２の上面のうち、開口６６Ａから露出される部分は、原稿と接触可能な読取面６２Ａである。
【００６５】
読取面６２Ａは、前後方向において、排出口４１よりも前方に配置される。
【００６６】
カバー６３は、フレーム６６の上方に配置される。カバー６３は、前後方向および上下方向に延びる。カバー６３は、板形状を有する。カバー６３は、後端部において、フレーム６６の後端部に、第２支持部の一例としての回動軸６３Ａを介して回動可能に支持される。これにより、カバー６３は、回動軸６３Ａを回動中心として、読取面６２Ａを覆う被覆位置（図２参照）と、読取面６２Ａを露出する露出位置（図５参照）との間を回動可能である。
【００６７】
回動軸６３Ａは、排紙口４１の上方に配置される。すなわち、回動軸６３Ａは、前後方向において、第２ガイド４３のガイド面４３Ａの最上部を挟んで回動軸４５の反対側に配置される。
【００６８】
ケーブル６５は、光学系６１と、ケーシング２内の図示しない制御基板とを接続する。ケーブル６５は、光学系６１から、アーム６４の内部を通って、ケーシング２内へ延びる。
４．排紙ラック
画像形成装置１は、さらに、第２排紙経路７５を有する排紙ラック７０を備える。なお、排紙ラック７０は、追加の装備として、画像形成装置１の上に設けられる。
【００６９】
排紙ラック７０は、図１および図２に示すように、ケーシング２の後端部の上方に位置している。排紙ラック７０は、フレーム７１と、複数のトレイ７４とを備える。
【００７０】
第２排紙経路７５は、排紙ラック７０内に配置される。第２排紙経路７５は、第１経路７５Ａと、複数の第２経路７５Ｂとを有する。
【００７１】
第１経路７５Ａは、複数のガイド７８とリアカバー７７との間に配置される。第１経路７５Ａは、上下方向に延びる。第１経路７５Ａは、第１搬送経路２６Ａの上方に配置される。第１経路７５Ａは、下端部において、第１搬送経路２６Ａの上端部に連通する。
【００７２】
第２経路７５Ｂは、互いに隣接する２つのガイド７８の間に配置される。複数の第２経路７５Ｂは、互いに上下方向に間隔を隔てる。第２経路７５Ｂは、前後方向に延びる。第２経路７５Ｂは、第１経路７５Ａの前方に配置される。第２経路７５Ｂは、後端部において、第１経路７５Ａに連通する。
【００７３】
フレーム７１は、第１支柱７２Ｌ、第２支柱７２Ｒ、複数のガイド７８、および、リアカバー７７を備える。
【００７４】
第１支柱７２Ｌは、図３および図４に示すように、排紙ラック７０の左端部に配置される。第１支柱７２Ｌは、読取装置１Ｂのアーム６４と、ケーシング２の第２ガイド４３との間に配置される。第１支柱７２Ｌは、ケーシング２の第１側壁５３Ｌの上面に支持される。第１支柱７２Ｌは、上下方向に延びる角柱形状を有する。
【００７５】
第２支柱７２Ｒは、排紙ラック７０の右端部に配置される。第２支柱７２Ｒは、ケーシング２の第２ガイド４３の右方に配置される。第２支柱７２Ｒは、ケーシング２の第２側壁５３Ｒの上面に支持される。第２支柱７２Ｒは、上下方向に延びる角柱形状を有する。
【００７６】
複数のガイド７８は、第１支柱７２Ｌと第２支柱７２Ｒとの間に配置される。複数のガイド７８は、第２ガイドの上方に位置する。複数のガイド７８は、互いに上下方向に間隔を隔てる。ガイド７８は、左右方向に延びる角柱形状を有する。ガイド７８は、第１ガイド面７８Ａ、第２ガイド面７８Ｂ、第３ガイド面７８Ｃ、および、フラップ７６を備える。第１ガイド面７８Ａ、第２ガイド面７８Ｂおよび第３ガイド面７８Ｃは、第２搬送ガイドを構成する。なお、複数のガイド７８のうち、最も上方に配置されるガイド７８は、第１ガイド面７８Ａおよび第２ガイド面７８Ｂを備えず、第３ガイド面７８Ｃおよびフラップ７６を備える。また、複数のガイド７８のうち、最も下方に配置されるガイド７８は、第３ガイド面７８Ｃおよびフラップ７６を備えず、第１ガイド面７８Ａおよび第２ガイド面７８Ｂを備える。
【００７７】
第１ガイド面７８Ａは、ガイド７８の後面である。第１ガイド面７８Ａは、上下方向に延びる。第１ガイド面７８Ａは、排紙部２２の第３ガイド４４の後面の上方に配置される。
【００７８】
第２ガイド面７８Ｂは、ガイド７８の後端部の上面である。第２ガイド面７８Ｂは、前後方向に延びる。第２ガイド面７８Ｂは、後端部において、第１ガイド面７８Ａの上端部に連続する。第２ガイド面７８Ｂの前端部は、上方へ向かうにつれて前方へ湾曲する。
【００７９】
第３ガイド面７８Ｃは、ガイド７８の後端部の下面である。第３ガイド面７８Ｃは、第２ガイド面７８Ｂに沿うように前後方向に延びる。第３ガイド面７８Ｃは、後端部において、第１ガイド面７８Ａの下端部に連続する。第３ガイド面７８Ｃの後端部は、上方へ向かうにつれて前方へ湾曲する。
【００８０】
フラップ７６は、ガイド７８の下端部に取り付けられる。フラップ７６は、上下方向に延びる板形状を有する。フラップ７６は、上端部を回動中心として、後述する第１経路７５Ａを閉鎖して第２経路７５Ｂを開放する排紙位置と、後述する第１経路７５Ａを開放して第２経路７５Ｂを閉鎖する搬送位置との間を回動可能である。
【００８１】
リアカバー７７は、排紙ラック７０の後端部に配置される。リアカバー７７は、上下方向に延びる板形状を有する。リアカバー７７は、第１経路７５Ａの後壁を構成する閉位置と、第１経路７５Ａを開放する開位置（図２仮想線参照）との間を、下端部を支点として回動可能である。
【００８２】
トレイ７４は、後端部において、ガイド７８の上端部に取り付けられる。すなわち、複数のトレイ７４は、フレーム７１に支持される。複数のトレイ７４は、上下方向において、読取装置１Ｂよりも上方に位置する。トレイ７４は、前後方向に延びる板形状を有する。トレイ７４は、後端部を回動中心として回動可能である。トレイ７４の上面は、第２ガイド面７８Ｂとほぼ面一である。すなわち、ガイド７８の第１ガイド面７８Ａおよび第２ガイド面７８Ｂは、排紙部２２の第３ガイド４４とトレイ７４との間に延びている。
４．用紙の搬送
（１）排紙トレイへの排紙
上記した画像形成動作において、加熱ローラ５Ａと加圧ローラ５Ｂとの間を通過した用紙Ｐを排紙トレイ８に排紙する場合、フラップ４６は、排紙位置（図２実線参照）に配置される。
【００８３】
すると、加熱ローラ５Ａと加圧ローラ５Ｂとの間を通過した用紙Ｐは、排紙経路２５の上流端部２５Ａに進入する。
【００８４】
すると、用紙Ｐは、第３ガイド４４のガイド面４４Ａ、および、第２ガイド４３のガイド面４３Ａに順次ガイドされることにより、排紙経路２５内を排紙口４１へ向かって搬送される。
【００８５】
このとき、用紙Ｐは、第３ガイド４４のガイド面４４Ａにより、排紙口４１から一旦離れるように後上方に搬送された後、排紙口４１に近づくように前上方に搬送される。次いで用紙Ｐは、第２ガイド４３ガイド面４３Ａにより、排紙口４１へ向かって前下方へ搬送される。
【００８６】
このように、用紙Ｐは、定着器５で加熱された後、排紙口４１から一旦離れるように大きく湾曲される。そのため、定着器５を通過した直後の加熱された用紙Ｐが急激に湾曲されることを抑制でき、用紙Ｐがカールすることを抑制できる。
【００８７】
次いで、用紙Ｐは、排紙ローラ４７の駆動および対向ローラ４８の従動により、排紙口４１へ向かって搬送される。その後、用紙Ｐは、排紙口４１を通過して、排紙トレイ８に積載される。
【００８８】
なお、ここで、用紙Ｐは、腰が弱い用紙を含む。そのため、用紙Ｐが腰が弱い用紙である場合、排紙口４１から排紙された用紙Ｐの先端が下方へ垂れる場合がある。しかし、そのような場合であっても、用紙Ｐは、排紙ガイド４９によってガイドされることにより、下方へ垂れることを抑制されながら、排紙トレイ８に排紙される。すなわち、排紙ガイド４９は、排紙口４１から搬送された用紙Ｐの先端と接触可能である。
【００８９】
これにより、用紙Ｐを、排紙トレイ８に円滑に排紙できる。
（２）排紙ラックへの排紙
また、上記した画像形成動作において、加熱ローラ５Ａと加圧ローラ５Ｂとの間を通過した用紙Ｐを排紙ラック７０に排紙する場合、フラップ４６は、搬送位置（図２仮想線参照）に配置される。
【００９０】
また、排紙ラック７０において、最上方のトレイ７４に用紙Ｐを排紙する場合、すべてのフラップ７６は、搬送位置（図２実線参照）に配置される。
【００９１】
すると、加熱ローラ５Ａと加圧ローラ５Ｂとの間を通過した用紙Ｐは、排紙経路２５の上流端部２５Ａに進入した後、フラップ４６によって、第１搬送経路２６Ａに案内される。
【００９２】
すると、第１搬送経路２６Ａに案内された用紙Ｐは、反転ローラ５４の第１回転方向への駆動、および、対向ローラ５５の従動によって、第１経路７５Ａへ向かって搬送される。
【００９３】
次いで、用紙Ｐは、第１経路７５Ａ内を上方へ搬送され、最も上方のガイド７８の第３ガイド面７８Ｃによってガイドされることにより、最上方のトレイ７４へ向かって搬送される。
【００９４】
その後、用紙Ｐは、最上方の第２経路７５Ｂを介して、最上方のトレイ７４に積載される。
【００９５】
なお、最上方のトレイ７４よりも下方のトレイ７４に用紙Ｐを搬送する場合、複数のフラップ７６のうちの１つのフラップ７６が、排紙位置（図２仮想線参照）に位置し、残りのフラップ７６が、搬送位置（図２実線参照）に配置される。
【００９６】
すると、用紙Ｐは、第１経路７５Ａ内を上方へ搬送される途中において、排紙位置に配置されるフラップ７６によってガイドされることにより、対応するトレイ７４へ向かって搬送される。
【００９７】
その後、用紙Ｐは、対応する第２経路７５Ｂを介して、対応するトレイ７４に積載される。
（３）反転経路における搬送
また、上記した画像形成動作において、用紙Ｐの両面に印刷する場合、フラップ４６は、まず、搬送位置（図２仮想線参照）に配置される。
【００９８】
すると、片面に印刷された用紙Ｐは、加熱ローラ５Ａと加圧ローラ５Ｂとの間を通過した後、排紙経路２５の上流端部２５Ａに進入した後、フラップ４６によって、第１搬送経路２６Ａに案内される。
【００９９】
すると、第１搬送経路２６Ａに進入した用紙Ｐは、反転ローラ５４の第１回転方向への駆動、および、対向ローラ５５の従動によって、上方へ向かって搬送される。
【０１００】
次いで、反転ローラ５４は、用紙Ｐの後端が第１搬送経路２６Ａと第２搬送経路２６Ｂとの接続部分に配置されるタイミングで、第１回転方向から第２回転方向へ逆転する。
【０１０１】
すると、用紙Ｐは、反転ローラ５４の第２回転方向への駆動、および、対向ローラ５５の従動によって、後端から第２搬送経路２６Ｂへ搬送される。
【０１０２】
その後、第２搬送経路２６Ｂに進入した用紙Ｐは、第２搬送経路２６Ｂ内を下方へ搬送され、転写ローラ１５の下方を回り込んで、給紙経路２４の下流端部２４Ｂを介して、再度、感光ドラム１３と転写ローラ１５との間に供給される。
５．カートリッジの着脱
（１）現像カートリッジの着脱
図２に仮想線で示すように、現像カートリッジ１２を画像形成装置１から離脱させるときには、作業者は、排紙トレイ８を第１開位置に位置させる。
【０１０３】
次いで、作業者は、現像カートリッジ１２を前上方へ引き抜く。
【０１０４】
すると、現像カートリッジ１２は、ドラムカートリッジ１１がケーシング２内に装着された状態で、ドラムカートリッジ１１とは別に、開口７を介してケーシング２の外方へ離脱される。
【０１０５】
また、現像カートリッジ１２を画像形成装置１に装着するときには、作業者は、排紙トレイ８を第１開位置に位置させた状態で、現像カートリッジ１２を開口７内に挿入する。
【０１０６】
すると、現像カートリッジ１２は、ケーシング２の内方においてドラムカートリッジ１１に装着される。これにより、現像カートリッジ１２は、ケーシング２内に装着される。
【０１０７】
なお、排紙トレイ８が第１開位置に位置しているときには、プロセスカートリッジ３は、全体、すなわち、現像カートリッジ１２がドラムカートリッジ１１に装着されている状態で、開口７を通過することはできない。
（２）プロセスカートリッジの着脱
また、図６に示すように、プロセスカートリッジ３全体を画像形成装置１から離脱させるときには、作業者は、まず、読取装置１Ｂを退避位置に位置させる。
【０１０８】
このとき、複数のトレイ７４は、読取装置１Ｂと同じ方向に回動する。すなわち、複数のトレイ７４は、第２ガイド４３と同じ方向に回動する。
【０１０９】
次いで、作業者は、排紙トレイ８を第２開位置に位置させる。
【０１１０】
その後、作業者は、プロセスカートリッジ３を前上方へ引き抜く。
【０１１１】
すると、プロセスカートリッジ３は、開口７を介してケーシング２の外方へ離脱される。
【０１１２】
また、プロセスカートリッジ３を画像形成装置１に装着するときには、作業者は、排紙トレイ８を第２開位置に位置させた状態で、プロセスカートリッジ３を開口７内に挿入する。
【０１１３】
すると、プロセスカートリッジ３は、ケーシング２内に装着される。
５．作用効果
（１）この画像形成装置１によれば、図２に示すように、第２ガイド４３のガイド面４３Ａの最上部は、読取装置１Ｂの最下部よりも上方に配置されている。
【０１１４】
その結果、読取装置が用紙Ｐの排出経路の上方に配置されている場合と比べて、上下方向に小型化を図ることができる。
【０１１５】
また、定着器５を通過した用紙Ｐは、まず、第３ガイド４４のガイド面４４Ａに沿って、後上方へ搬送される。次いで、用紙Ｐは、第２ガイド４３のガイド面４３Ａに沿って、前上方へ搬送される。その後、用紙Ｐは、第２ガイド４３のガイド面４３Ａに沿って、読取装置１Ｂの後方を通るように、前下側へ搬送され、排紙口４１から排紙される。
【０１１６】
これにより、読取装置１Ｂの後方のスペースを利用して、用紙Ｐを円滑に搬送することができる。
（２）この画像形成装置１によれば、図２に示すように、第２ガイド４３のガイド面４３Ａの最上部は、排紙口４１よりも上方に配置される。
【０１１７】
そのため、読取装置１Ｂの後方のスペースにおいて、排紙口４１よりも上方のスペースを利用して、用紙Ｐを搬送することができる。
【０１１８】
その結果、上下方向において画像形成装置１の小型化を図ることができながら、上下方向における用紙Ｐの搬送スペースを確保できる。
（３）この画像形成装置１によれば、図２に示すように、第３ガイド４４のガイド面４４Ａは、定着器５から、上方へ向かうにつれて排紙口４１から離れる方向、すなわち後上方に延び、排紙口４１に近づく方向、すなわち前方に湾曲する。また、第２ガイド４３のガイド面４３Ａは、排紙口４１に向かって前下方へ延びる。
【０１１９】
そのため、用紙Ｐは、排紙口４１から一旦離れるように後上方に搬送された後、排紙口４１に近づく方向へ緩やかに湾曲されて、前下方へ搬送される。
【０１２０】
その結果、上下方向に小型化を図ることができながら、用紙Ｐが過度に湾曲されることを抑制できる。
（４）この画像形成装置１によれば、図２および図３に示すように、排紙口４１よりも下方、かつ、排紙トレイ８よりも上方において、排紙口４１から搬送された用紙Ｐの先端と接触可能な排紙ガイド４９を備える。
【０１２１】
そのため、排紙ガイド４９により、用紙Ｐがカールしやすい用紙や腰が弱い用紙である場合、排紙口４１から排紙された用紙Ｐが下方へ垂れることを抑制できる。
【０１２２】
その結果、用紙Ｐを、排紙トレイ８に円滑に排紙できる。
（５）この画像形成装置１によれば、図２および図６に示すように、第２ガイド４３は、読取装置１Ｂを支持する。また、第２ガイド４３は、第２ガイド４３のガイド面４３Ａの最上部よりも後方に配置される回動軸４５を中心として、第１位置と、第１位置から上方に移動した第２位置との間を回動可能である。
【０１２３】
そのため、読取装置１Ｂを退避位置に位置させたときに、第２ガイド４３の回動により、第１ガイド４２と第２ガイド４３との間隔を広げて、排紙経路２５を開放することができる。
【０１２４】
その結果、排紙経路２５内に用紙Ｐが詰まった場合に、詰まった用紙Ｐを排紙経路２５から容易に取り除くことができる。
（６）この画像形成装置１によれば、図５に示すように、読取装置１Ｂのカバー６３は、第２ガイド４３のガイド面４３Ａの最上部よりも前方に配置される回動軸６３Ａを中心として、読取面６２Ａを覆う被覆位置（図２参照）と、読取面６２Ａを露出させる露出位置との間を回動可能である。
【０１２５】
そのため、カバー６３を露出位置に位置させたときに、第２ガイド４３のガイド面４３Ａの最上部よりも前方において、コンパクトにカバー６３を回動させることができる。
【０１２６】
その結果、カバー６３を円滑に回動させることができ、読取装置１Ｂを円滑に使用することができる。
（７）この画像形成装置１によれば、図２に示すように、現像ローラ１６は、感光ドラム１３の軸線Ａ１よりも下方に配置される軸線Ａ２について回転可能である。
【０１２７】
そのため、現像ローラ１６周辺からトナーがこぼれた場合、こぼれたトナーが感光ドラム１３に落下し、用紙Ｐに転写されることを防止できる。
【０１２８】
その結果、感光ドラム１３にトナーを安定に供給することができる。
（８）この画像形成装置１によれば、図２および図６に示すように、排紙トレイ８を利用して、開口７を開閉することができる。
【０１２９】
そのため、部品点数の低減を図ることができる。
（９）この画像形成装置１によれば、図１および図２に示すように、第２ガイド４３の上方において、フレーム７１と、フレーム７１に支持される複数のトレイ７４とを備える排紙ラック７０を備える。複数のトレイ７４は、読取装置１Ｂよりも上方に配置される。
【０１３０】
そのため、上下方向に小型化が図られた画像形成装置１の上方のスペースを利用して、排紙ラック７０を配置することができる。
（１０）この画像形成装置１によれば、図２に示すように、フレーム７１は、第３ガイド４４の後面とトレイ７４との間に延びる第１ガイド面７８Ａおよび第２ガイド面７８Ｂを有する。
【０１３１】
そのため、定着器５を通過した用紙Ｐを、第３ガイド４４の後方を通過するように、トレイ７４へ搬送することができる。
（１１）この画像形成装置１によれば、図６に示すように、トレイ７４は、第２ガイド４３の回動方向と同じ方向に回動可能である。
【０１３２】
そのため、第２ガイド４３を第２位置に位置されるとき、すなわち、読取装置１Ｂを退避位置に位置させるときに、トレイ７４を、第２ガイド４３および読取装置１Ｂの回動方向の下流側へように退避させることができる。
【０１３３】
その結果、第２ガイド４３を円滑に第２位置に位置させることができ、読取装置１Ｂを円滑に退避位置に位置させることができる。
（１２）この画像形成装置１によれば、図１および図４に示すように、排紙ラック７０のフレーム７１は、第２ガイド４３の左方に配置される第１支柱７２Ｌと、第２ガイド４３の右方に配置される第２支柱７２Ｒとを備える。
【０１３４】
そのため、第１支柱７２Ｌおよび第２支柱７２Ｒにより、排紙ラック７０をケーシング２の上面に安定に設置できる。
【０１３５】
しかも、第１支柱７２Ｌと第２支柱７２Ｒの間において、第２ガイド４３を回動させることができる。
（１３）この画像形成装置１によれば、図１および図４に示すように、第１支柱７２Ｌおよび第２支柱７２Ｒは、前後方向において、カバー６３よりも後方に配置される。
【０１３６】
そのため、第１支柱７２Ｌおよび第２支柱７２Ｒが、カバー６３の開閉を妨げることがない。
【０１３７】
その結果、排紙ラック７０を画像形成装置１の上面に設置した状態で、カバー６３を円滑に開閉することができる。
（１４）この画像形成装置１によれば、図１および図４に示すように、読取装置１Ｂは、第１支柱７２Ｌに対して第２ガイド４３の反対側に配置されるアーム６４を備える。読取装置１Ｂからのケーブル６５は、アーム６４内を通ってケーシング２内へ延びている。アーム６４は、ケーシング２に対して回動可能に接続される。
【０１３８】
そのため、左右方向において、第１支柱７２Ｌの外側において、アーム６４を利用してケーブル６５を配置することができる。
【０１３９】
その結果、読取装置１Ｂを、より安定に回動させつつ、ケーシング２の基板とケーブル６５を介して接続することができる。
＜第２実施形態＞
以下、第２実施形態の画像形成装置１００について説明する。以下の説明において、上記した第１実施形態と同様の構成には同様の符号を付し、その説明を省略する。
【０１４０】
図７に示すように、第２実施形態の画像形成装置１００は、排紙ラック７０およびリアフレーム５１を備えず、第１実施形態のリアカバー５２と異なるリアカバー１０１と、第１実施形態の第２ガイド４３と異なる第２ガイド１０２とを備える以外は、第１実施形態と同様に構成されている。
【０１４１】
第２実施形態のリアカバー１０１は、ガイド部１０１Ａを備えている。
【０１４２】
ガイド部１０１Ａは、リアカバー１０１の上端部に配置される。ガイド部１０１Ａは、リアカバー１０１の上端部から前上方へ延びる。ガイド部１０１Ａは、平板形状を有する。
【０１４３】
第２実施形態の第２ガイド１０２は、積載面１０２Ｂを有している。
【０１４４】
積載面１０２Ｂは、第２ガイド１０２の上面である。積載面１０２Ｂは、第２ガイド１０２の後端部から前上方へ延びる。積載面１０２Ｂは、後端部において、リアカバー１０１のガイド部１０１Ａの下方に間隔を隔てて配置される。
【０１４５】
図７に示すように、第２実施形態では、フラップ４６が搬送位置（図２仮想線参照）に配置された状態で、加熱ローラ５Ａと加圧ローラ５Ｂとの間を用紙Ｐが通過すると、用紙Ｐは、排紙経路２５の上流端部２５Ａに進入した後、フラップ４６によって、第１搬送経路２６Ａに案内される。
【０１４６】
すると、第１搬送経路２６Ａに案内された用紙Ｐは、反転ローラ５４の第１回転方向への駆動、および、対向ローラ５５の従動によって、上方へ搬送される。
【０１４７】
その後、用紙Ｐは、ガイド部１０１Ａによって前上方へ案内され、第２ガイド１０２の積載面１０２Ｂ、および、読取装置１Ｂのカバー６３の上面に積載される。その後、用紙Ｐは、反転ローラ５４の第２回転方向への駆動により、第２搬送経路２６Ｂへと搬送される。
【０１４８】
また、図８に示すように、第２実施形態においても、上記した第１実施形態と同様に、読取装置１Ｂを退避位置に位置させた状態で、開口７を最も開放することができ、開口７を介して、プロセスカートリッジ３または現像カートリッジ１２を画像形成装置１に対して着脱できる。
【０１４９】
第２実施形態においても、第１実施形態と同様の作用効果を得ることができる。
【符号の説明】
【０１５０】
１        画像形成装置
１Ａ      画像形成部
１Ｂ      読取装置
２        ケーシング
３        プロセスカートリッジ
５        定着器
７        開口
８        排紙トレイ
１３      感光ドラム
１６      現像ローラ
４１      排紙口
４２      第１ガイド
４３      第２ガイド
４４      第３ガイド
４５      回動軸
４９      排紙ガイド
５０      壁
６２Ａ    読取面
６３      カバー
６３Ａ    回動軸
６４      アーム
７１      フレーム
７２Ｌ    第１支柱
７２Ｒ    第２支柱
７４      トレイ
７８Ａ    第１ガイド面
７８Ｂ    第２ガイド面
７８Ｃ    第３ガイド面
１００    画像形成装置
Ａ１      軸線
Ａ２      軸線
Ｐ        用紙
【図１】
0006565280.tif 000002
【図２】
0006565280.tif 000003
【図３】
0006565280.tif 000004
【図４】
0006565280.tif 000005
【図５】
0006565280.tif 000006
【図６】
0006565280.tif 000007
【図７】
0006565280.tif 000008
【図８】
0006565280.tif 000009